(57)【要約】【課題】  ドアと扉枠との隙間が大きくても確実にドアの開閉信号を採ることができるスイッチ素子を提供する。【解決手段】  スイッチ素子を、一面が開口する箱状体で、この開口を外側にして扉の自由側端縁及び扉枠の一方に埋設されるトロヨケ４と、非磁性材質で薄肉の箱状体である磁石ケース７を有し、この磁石ケースの内側に永久磁石８を収納すると共に外方に付勢された可動磁石ブロック６とで構成すると共に、ストッパー１６を設け、可動磁石ブロック６に外力が作用しない常態において可動磁石ブロックのフロント板５からの突出量を規制する。【選択図】  図３
2007026771.tif 000002
【特許請求の範囲】
【請求項１】
スイング扉の自由側端縁及び閉扉時この自由側端縁と対向する扉枠の一方に埋設される永久磁石を内蔵したドアスイッチ素子と、閉扉時このドアスイッチ素子と整合する他方の部位に埋設されたリードスイッチとを有するドアスイッチにおいて、ドアスイッチ素子を、一面が開口する箱状体で、この開口を外側にして扉の自由側端縁及び扉枠の一方に埋設されるトロヨケと、非磁性材質で薄肉の箱状体である磁石ケースを有し、この磁石ケースの内側に永久磁石を収納すると共に外方に付勢された可動磁石ブロックと、この可動磁石ブロックの案内孔を開口させ、トロヨケの開口を覆うように装着されたフロント板と、可動磁石ブロックに外力が作用しない常態において、可動磁石ブロックのフロント板からの突出量を規制するストッパーとを有して成るドアスイッチ素子。
【発明の詳細な説明】
【技術分野】
【０００１】
この発明は、新規なドアスイッチ素子（以下単にスイッチ素子という）に係り、特に、チリ寸法（閉扉時におけるスイング扉の自由側端縁と扉枠との隙間の寸法）が大きくても確実に作動するスイッチ素子に関する。
【背景技術】
【０００２】
ビルやマンションの部屋を総合的に管理するため、各部屋の扉口の開閉信号を取り出して、これを制御装置に供給することは周知の事項である。
【０００３】
この場合、扉口の開閉を示す開閉信号を検出するため、例えば図１に示すようなドアスイッチ１が用いられている。
【０００４】
すなわち、同図において符号２は永久磁石を内蔵したスイッチ素子を示し、このスイッチ素子は扉の自由側端縁又は扉枠の一方（図示の実施例では扉の自由側端縁）に埋設されており、扉閉扉時このスイッチ素子に対向する扉枠の部分には磁束により駆動されるリードスイッチ３が埋設されている。
【０００５】
上記のように構成されたドアスイッチは、扉閉扉時スイッチ素子２の近接によりリードスイッチが例えば閉成されるので、このリードスイッチの出力信号を図示しない制御装置に送給して、建物の管理のデータとして用いる。
【特許文献１】特公平３−０７３７０９号公報
【発明の開示】
【発明が解決しようとする課題】
【０００６】
上記のように構成されたドアスイッチは、勿論所期の機能を発揮して従来から実用されているが、リードスイッチを制御するスイッチ素子の磁束密度がスイッチ素子とリードスイッチとの間隔、換言すれば図１のチリ寸法Ｃに反比例するので、例えば対震扉のように、チリ寸法を大きくして扉枠が変形しても開扉できるようにした扉ではドアスイッチの作動が不確実になる。
【０００７】
また、チリ寸法は経年変化が少ないので、それを頼みに、チリ寸法に合わせてスイッチ素子２及びリードスイッチ３の間隔を調節できるようにし、チリ寸法が大きな場合には扉の自由側端縁或いは扉枠から突出させてドアスイッチを確実に作動させようとすると、今度は上記特許文献１に記載の発明のように、扉と扉枠とのチリを小さくする方向に扉枠を変形させて、地震による扉口の閉鎖を防止する所謂対震蝶番の効果が期待できなくなる、という不都合が生じる。
【０００８】
そこで、この発明の目的は、対震扉等のチリ寸法が大きい扉口でも使用でき、また、本出願人の製造、販売に係る所謂対震蝶番も使用できるスイッチ素子を提供することを目的としている。
【課題を解決するための手段】
【０００９】
上記の目的を達成するため、この発明は、スイング扉の自由側端縁及び閉扉時この自由側端縁と対向する扉枠の一方に埋設される永久磁石を内蔵したドアスイッチ素子と、閉扉時このドアスイッチ素子と整合する他方の部位に埋設されたリードスイッチとを有するドアスイッチにおいて、ドアスイッチ素子を、一面が開口する箱状体で、この開口を外側にして扉の自由側端縁及び扉枠の一方に埋設されるトロヨケと、非磁性材質で薄肉の箱状体である磁石ケースを有し、この磁石ケースの内側に永久磁石を収納すると共に外方に付勢された可動磁石ブロックと、この可動磁石ブロックの案内孔を開口させ、トロヨケの開口を覆うように装着されたフロント板と、可動磁石ブロックに外力が作用しない常態において、可動磁石ブロックのフロント板からの突出量を規制するストッパーとを有することを特徴とする。
【発明の効果】
【００１０】
上記のように構成されたスイッチ素子を組込んだドアスイッチは、可動磁石ブロックに外力が作用しない常態では、永久磁石がフロント板から突出してリードスイッチとの距離を縮めているから、チリ寸法の大きい扉でもドアスイッチが確実に作動するという所期の効果を奏する。
【００１１】
また、可動磁石ブロックがトロヨケ内方に引込むことができるので、前記特許文献１に記載の発明による対震蝶番を装着した扉にこの発明によるスイッチ素子を適用した場合、対震蝶番の機能を損うことがない、等種々の効果を奏する。
【発明を実施するための最良の形態】
【００１２】
リードスイッチ駆動用の永久磁石をトロヨケのフロント板に垂直な前後方向に移動可能に案内すると共に、フロント板から突出する方向に付勢し、また、常態におけるフロント板からの突出量を規制するストッパーを設けたので、チリ寸法が大きい扉でもドアスイッチの作動を確実にし、かつ、対震蝶番の作動時トロヨケ内に引込んで、対震蝶番の機能を損うこともない。
【実施例１】
【００１３】
以下、この発明の実施例を図面を参照して説明する。
なお、図示の実施例ではこの発明のスイッチ素子を扉の自由側端縁に装着するものとする。それは、導線を介して信号を取り出すリードスイッチは、可動の扉に装着するとその導線の構成が複雑になるからである。
【００１４】
図２及び図３において符号４はトロヨケを示し、このトロヨケ４は、図４及び図５に示すように、一面が開いた箱状体で、図３に示すように、その上下の開口端縁に一体に形成された取付板４ａを介して、フロント板５に一体的に結合されている。
【００１５】
また、このトロヨケ４は、その開口を覆うように装着されたフロント板５を外側にして、図示しない扉の自由側端縁に埋設される。この場合、取付板４ａを扉の自由側端縁に接合させるようにして、例えばねじ止めにより装着される。
【００１６】
このトロヨケ４内には、全体を符号６で示す可動磁石ブロックがフロント板５に垂直な前後方向（図３で左右方向）に移動可能に収納されている。
【００１７】
図示の実施例における可動磁石ブロック６は、一面が開いた薄板の箱状体で非磁性材質の磁石ケース７を有し、この磁石ケース７内に一対の永久磁石８、８を収納している。
【００１８】
これらの永久磁石８、８の相互の間隔を規定するため、図２及び図７に示すように、磁石ケース７の底面（図７で上面）に内側に突出する断面コ字形のスペーサ９を例えばプレス加工により形成してある。
【００１９】
また、上記スペーサ９により間に所定の間隔を保つ一対の永久磁石８、８は、図７に示すように、フロント板の厚さ方向において磁極を反対にして磁石ケース７内に収納されている。
【００２０】
そして、これら一対の永久磁石８、８間の磁気抵抗を小さくするため、図３及び図７に示すように、磁石ケース７の開口部に永久磁石８、８間に磁性材質の厚板であるヨーク１１を掛け渡す。
【００２１】
また、ヨーク１１が磁石ケース７から抜け落ちることを防止するため、図８に示すように両側端縁に括れ部１２を形成し、磁石ケース７の開口より大きなマグネットベース１３を磁石ケースの開口を覆うように載置し、６及び図７に示すように、磁石ケースの開口端縁に突設された係止片１４、１４を括れ部１２、１２に係合させて折曲げ、このようにして磁石ケース７及びマグネットベース１３を一体的に結合して可動磁石ブロック６を構成する。
【００２２】
一方、図４及び図５に示すように、トロヨケ４の相互に対向する側板に少なくとも１個の第２ストッパー１７を内側に突出させると共に、少なくとも１個の第１ストッパー１６を内側に切り起こし可能に形成しておく。
【００２３】
そして、図３に示すように、トロヨケ４内に一対の円錐代形の圧縮コイルばねである付勢ばね１５、１５を入れた後、マグネットベース１３を先にして可動磁石ブロック６をトロヨケ内に挿入し、しかる後、第１ストッパー１６、１６を内側に折曲げて可動磁石ブロック６の抜け止めとする。
【００２４】
なお、図３から明らかなように、第１ストッパー１６の形成位置は、可動磁石ブロック６のストライク板５からの突出量が所定の値になるように設定する。
【００２５】
また、第２ストッパー１７の形成位置は、可動磁石ブロック６が外力を受けてトロヨケ内に押込まれ、その外面がストライク板と同一平面となったとき、マグネットベース１３が第２ストッパーに衝止されるように設定する。
【００２６】
上記のように構成されたこの発明の一実施例によるスイッチ素子は、可動磁石ブロック６がストライク板５から突出しているので、チリ寸法の大きな扉でも永久磁石とリードスイッチとの間隔を小さくすることができ、ドアスイッチの作動が確実になる。
【００２７】
また、前記特許文献１に記載された発明による対震蝶番を装着した扉にこの発明を適用した場合、地震によって扉枠が変形しても可動磁石ブロックがトロヨケ内に引込むので、対震蝶番の作動を掣肘することがない。
【図面の簡単な説明】
【００２８】
【図１】ドアスイッチの構成を説明するための線図。
【図２】本願発明の一実施例によるスイッチ素子の正面図。
【図３】その一部断面側面図。
【図４】トロヨケの一部断面側面図。
【図５】トロヨケの下面図。
【図６】可動磁石ブロックの平面図。
【図７】その縦断面図。
【図８】マグネットベースの平面図。
【符号の説明】
【００２９】
１  ドアスイッチ
２  スイッチ素子
３  リードスイッチ
４  トロヨケ
５  フロント板
６  可動磁石ブロック
７  磁石ケース
８  永久磁石
９  スペーサ
１１  ヨーク
１２  括れ部
１３  マグネットベース
１４  係止片
１５  付勢ばね
１６  第１ストッパー
１７  第２ストッパー
【図１】
2007026771.tif 000003
【図２】
2007026771.tif 000004
【図３】
2007026771.tif 000005
【図４】
2007026771.tif 000006
【図５】
2007026771.tif 000007
【図６】
2007026771.tif 000008
【図７】
2007026771.tif 000009
【図８】
2007026771.tif 000010